(57)【特許請求の範囲】
【請求項１】
びんを倒立状態で収容する筒状のびんホルダと、複数のびんホルダを支持する移動体とを備えた洗びん機において、移動体に取り付けられて着脱自在に移動体の上方に位置される支持部材と、びんホルダよりも小径で、びんホルダの配置に対応して支持部材に支持される複数の筒状部材とを備え、支持部材が移動体に取り付けられた際には、びんホルダ内に位置されるびんが筒状部材により倒立状態に支持されることを特徴とする洗びん機。
【請求項２】
上記筒状部材が、びんを収容可能なホルダ形状をしていることを特徴とする請求項１記載の洗びん機。
【発明の詳細な説明】
【０００１】
【発明の属する技術分野】
本発明は、びんを倒立状態で収容する筒状のびんホルダを備えた洗びん機において、サイズの異なるびんの兼用化を図った洗びん機に関するものである。
【０００２】
【従来の技術】
従来より、洗びん機はびんを収容する多数のびんホルダを備えており、収容したびんを移動させつつ洗浄液を噴射してびんの内外面を洗浄するようになっている。このようなびんホルダは多少サイズの異なるびんであっても収容できるよう構成されているが、大きくサイズが異なる場合には全てのびんホルダを取り外して交換する必要があり、その交換作業は非常に煩雑なものであった。このような問題に対して以下のように構成したものが従来より存在している。
それは、洗びん機の無端のキャリアバスケット連結体の循環経路下方に、キャリアバスケットの収納台を上下複数段に設けると共に、該収納台の近傍にキャリアバスケットの引込装置を設け、複数区分に分割した保管キャリアバスケット連結体の各連結体区分を前記収納台に収納し、循環経路のキャリアバスケット連結体を収納台の一端近傍で順次切断して前記引込装置により空の収納台に引込むと同時に、収納台に保管されていた連結体区分を収納台の他端側で循環経路のキャリアバスケット連結体の後端に接続し循環経路に搬入する洗びん機キャリアバスケット交換方法（特公昭５８−５２９１１号公報参照）。及び、互いに対向して配置される一対の無端索条への取付け部を両端に有して平行に配置された一対の桁部材に、容器を載置する複数個の載置板が所定間隔を有して架設固定されるとともに前記それぞれの載置板の両側に容器の外側面を保持する保持腕が表面に突設された一対の摺動部材がそれぞれ所定の間隔を有して摺動可能に架設され、更に前記それぞれの摺動部材は前記載置板を挟んで同一側に位置するもの同士が位置決め機構を備えた移動杆によりそれぞれ互いに連結されている洗浄機等の容器ホルダ（実開平２−４５１９３号公報参照）。
【０００３】
【発明が解決しようとする課題】
特公昭５８−５２９１１号公報で開示される洗びん機によれば、びんホルダが取り付けられたキャリアバスケット（ブリッジ）を、これを移動させるキャリアバスケット連結体（チェーン）ごと洗びん機から収納台に引き込んで、サイズの異なるびんホルダが取り付けられたキャリアバスケットと交換するようにしているため、大掛かりな交換装置が必要であった。
【０００４】
また、実開平２−４５１９３号マイクロフィルムの明細書で開示される洗びん機によれば、びんを保持する保持腕が摺動して間隔を変更する構成となっているため、構造が複雑で洗浄液の当らない部分に雑菌が繁殖しやすくサニタリー性に劣るものであった。また、洗浄液により摺動部分に錆が発生して動作不良を起こす恐れがあった。
【０００５】
本発明は、このような従来の問題に鑑み、びんホルダの交換作業を伴うことなく、簡単な構成によりびんサイズの変更に対応できるようにした洗びん機を提供することを目的とするものである。
【０００６】
【課題を解決するための手段】
本発明は、前記課題の解決を図ったもので、次のような技術手段を採用した。請求項１記載の発明においては、びんを倒立状態で収容する筒状のびんホルダと、複数のびんホルダを支持する移動体とを備えた洗びん機において、移動体に取り付けられて着脱自在に移動体の上方に位置される支持部材と、びんホルダよりも小径で、びんホルダの配置に対応して支持部材に支持される複数の筒状部材とを備え、支持部材が移動体に取り付けられた際には、びんホルダ内に位置されるびんが筒状部材により倒立状態に支持されるという技術手段を採用した。
【０００７】
請求項２記載の発明においては、請求項１記載の発明に加えて上記筒状部材をびんを収容可能なホルダ形状にするという技術手段を採用した。
【０００８】
【発明の実施の形態】
図１は本発明に係る洗びん機の要部断面図であり、一点鎖線より左側は支持部材１０を取り付けた状態、右側は取り外した状態を示している。図２はブリッジに設けた保持部を示す拡大図である。
図１において、１は洗びん機であり１ａはその側壁である。洗びん機１内には複数のスプロケットが配置されており、これらスプロケットに無端状のチェーン２が掛け回されている。スプロケットの回転に伴ってチェーン２に取り付けられたローラ３が、側壁１ａに設けられたレール４に支持されて走行し洗びん機１内を循環する。このようなチェーン２は対向する側壁１ａの各々に配置されており、両側のチェーン２に渡って移動体を構成する多数のブリッジ５がチェーン２の移動方向に所定間隔で連結されている。ブリッジ５にはサイズの大きな大径のびん６を倒立状態で収容することのできる筒状のびんホルダ７が１列に整列されて複数個（本実施例では６個）取り付けられている。
【０００９】
ブリッジ５は、天板５ａとこの天板５ａから鉛直方向に垂下される側板５ｂからなる断面コの字状に形成されており、天板５ａにはびんホルダ７を挿入する円形の取付孔５ｃが形成されている。びんホルダ７は樹脂成形され倒立状態のびん６の胴部６ａを支持する円筒状の本体部７ａと、この本体部７ａから下方に窄まるよう形成され、びん６の肩部６ｂを支持する下方部７ｂとを有しており、この下方部７ｂの下端を取付孔５ｃに挿入してブリッジ５に取り付けられている。
【００１０】
ブリッジ５の天板５ａ両端部にはブラケット８が立設されており、このブラケット８の上部に設けた保持部９によって、支持部材１０がブリッジ５に着脱自在に取り付けられるようになっており、支持部材１０はブリッジ５の上方に位置されて移動するブリッジ５と一体に移動されるようになっている。
【００１１】
支持部材１０にはサイズの小さな小径のびん１１を倒立状態で収容する、筒状でびんホルダ７よりも小径の小径ホルダ１２が１列に整列されて複数個（本実施例では６個、図１においては一点鎖線より左側に３個のみを図示している。）取り付けられていて、これら各小径ホルダ１２は支持部材１０がブリッジ５に取り付けられた際には、各々対応するびんホルダ７の内側に位置するようにびんホルダ７の配置に対応させて支持されている。
【００１２】
支持部材１０は、ブリッジ５と同様に天板１０ａとこの天板１０ａより鉛直方向に垂下される側板１０ｂからなる断面コの字状に構成されており、天板１０ａに小径ホルダ１２を挿入する円形の取付孔１０ｃが、ブリッジ５の取付孔５ｃと同一中心となるように形成されている。小径ホルダ１２はびんホルダ７と同様に、樹脂成形され倒立状態の小径のびん１１の胴部１１ａを支持する円筒状の本体部１２ａと、この本体部１２ａから下方に窄まるように形成され、びん１１の肩部１１ｂを支持する下方部１２ｂとを有するホルダ形状をしており、本体部１２ａの上端を取付孔１０ｃに挿入して支持部材１０に取り付けられている。
【００１３】
さらに、支持部材１０の両端部には、図２で拡大して示すように先端がテーパ状となった挿入ピン１４が支持プレート１３を介して垂下して設けられており、この挿入ピン１４には側壁１ａ側に開口させて係合孔１４ａが形成されている。一方、ブラケット８の上端部はＬ字状に曲げられて水平部８ａが形成されており、この水平部８ａには挿入ピン１４を挿入可能な円形の挿入口８ｂが形成されているとともに、この挿入口８ｂから下方にこれと同径の挿入筒１５が取り付けられている。この挿入筒１５には挿入ピン１４が挿入された状態の時に、挿入ピン１４の係合孔１４ａと位置が合うように貫通孔１５ａが形成されており、この貫通孔１５ａに係合部材１６の先端に設けた係合ピン１６ａを抜き差し自在に貫通させている。係合部材１６の係合ピン１６ａを設けた側の他端側はブラケット８を貫通して側壁１ａ側に摺動自在に突出させており、係合部材１６はバネ１７により常時挿入筒１５に押し付けられている。このような構成により、支持部材１０の挿入ピン１４を挿入筒１５に挿入させることによって支持部材１０を位置決めするとともに、係合孔１４ａに係合ピン１６ａを挿入させてブラケット８に支持部材１０を着脱自在に保持させるようにしている。
【００１４】
以上のように、支持部材１０はブリッジ５と一体で移動され、ブリッジ５はチェーン２の移動によりびんホルダ７の列方向と直交する方向へ移動するようになっているので、支持部材１０がブリッジ５に取り付けられていない場合には、びん６をびんホルダ７に収容することにより倒立状態に支持して洗びん機１内を搬送することができ、また、支持部材１０が取り付けられている場合には、びん１１を小径ホルダ１２に収容することにより、びんホルダ７内で倒立状態に支持して洗びん機１内を搬送することができる。そして、ブリッジ５の移動経路の上方側には洗浄液を拡散させて噴射する洗浄ノズル１８ａを備えた給液パイプ１８を配置するとともに、下方側には洗浄液を集中させて噴射する洗浄ノズル１９ａを備えた給液パイプ１９を配置しているので、洗浄ノズル１８ａによってこれら搬送されるびん６の外面を洗浄するとともに、洗浄ノズル１９ａによってびん６の内部に洗浄液を噴射して内面を洗浄することができ、さらにびん１１についても小径ホルダ１２で倒立状態に支持されてびんホルダ７内に位置されるので、びん６と同様に洗浄することができる。
【００１５】
以上のように構成される洗びん機１の異なるびんサイズへの変更に伴う型替え作業について説明する。
まず、サイズの大きな大径のびん６を洗浄する場合には、チェーン２によるブリッジ５の移動動作を停止させ、洗びん機１の一端側の給びん部においてブリッジ５の両側の係合部材１６を引っ張り、係合孔１４ａから係合ピン１６ａを抜いた状態で、支持部材１０を上方に持ち上げ挿入筒１５から挿入ピン１４を抜き出して支持部材１０をブリッジ５から取り外す。この後は、１ピッチ分ずつチェーン２を移動させてブリッジ５を給びん部に位置させ、順次支持部材１０をブリッジ５から取り外していく。
【００１６】
次に、サイズの小さな小径のびん１１を洗浄する場合には、同様にチェーン２によるブリッジ５の移動動作を停止させ、洗びん機１の一端側の給びん部において挿入筒１５に挿入ピン１４を押し込んで、支持部材１０をブリッジ５に取り付ける。挿入ピン１４の先端はテーパ状になっているので、挿入ピン１４を押し込むだけで係合ピン１６ａはテーパに倣って自ずと押し戻され、係合孔１４ａと位置が合った時点で係合孔１４ａに挿入される。この後は１ピッチ分ずつチェーン２を移動させてブリッジ５を給びん部に位置させ、順次支持部材１０をブリッジ５に取り付けていく。本実施例によれば、支持部材１０を取り外した場合には、サイズの大きなびん６を洗浄できるとともに、支持部材１０を取り付けた場合にはサイズの小さなびん１１をびんホルダ７の中央に位置させることができ、サイズの大きなびん６と同様に洗浄することができる。
【００１７】
つまり、びんホルダ７の交換を伴うことなく、支持部材１０を着脱させるだけでびん６とびん１１の洗浄を同一の洗びん機で兼用することが可能となり、従来に比較して簡単な構成により異なるびんサイズの兼用化を図ることができる。また、ホルダ部分には摺動箇所がなくサニタリー性にも優れ、動作不良を起こす恐れもないものである。
【００１８】
なお、びんホルダ７、小径ホルダ１２の形態については筒状でびん６、びん１１を収容できるホルダ形状であれば、完全に周囲を覆うものであっても良いしリブだけで筒状に形成し周囲に開口を有するものであっても良い。
【００１９】
次に、図３により本発明に係る第２の実施例について説明する。
前記第１実施例においては、びん６に対して兼用させる小径びん１１はブリッジ５に取り付けたびんホルダ７の下部側の開口よりも小径であるため、小径ホルダ１２はびんホルダ７と同様に、小径のびん１１の胴部１１ａを支持する円筒状の本体部１２ａと、この本体部１２ａから下方に窄まるように形成され、びん１１の肩部１１ｂを支持する下方部１２ｂとを有していたが、本第２実施例は、図３で示すような大径のびん６と小径のびん１１の中間径のびん２０を兼用させる場合に、支持部材１０に取り付ける筒状部材として、びん２０の胴部２０ａを支持する円筒状の本体部２１ａのみからなる支持ホルダ２１を用いたものである。このような支持ホルダ２１によれば、倒立状態のびん２０の胴部２０ａの支持は円筒状の支持ホルダ２１により行うが、びん２０の肩部２０ｂについてはびんホルダ７の下方部７ｂを利用するようになっている。このような第２実施例においても、支持ホルダ２１以外の構成は前記第１実施例と変わることがなく、第１実施例と同様の効果を得ることができるものである。
【００２０】
なお、第２実施例の場合、支持ホルダ２１は第１実施例の小径ホルダ１２のように必ずしもびんホルダ７の内側に位置させる必要はなく、びん２０の胴部が細長くびんホルダ７から上方へはみ出す場合には、びんホルダ７の上方に位置させてびん２０の胴部２０ａを支持するようにしても良い。また、支持ホルダ２１の長さについても適宜設定すれば良く、図３においてびん２０の胴部２０ａが支持部材１０の高さを超えて取付孔１０ｃを貫通する場合には、取付孔１０ｃの内周縁を支持ホルダ２１として胴部２０ａを支持するようにし、支持ホルダ２１を省略することもできる。
【００２１】
また、支持ホルダ２１の形態については筒状でびん２０を支持できるものであれば、完全に周囲を覆うものであっても良いし、リブだけで筒状に形成し周囲に開口を有するものであっても良い。
【００２２】
【発明の効果】
本発明は、以上の構成を採用した結果、次のような効果を得ることができる。（１）びんを倒立状態で収容する筒状のびんホルダと、複数のびんホルダを支持する移動体とを備えた洗びん機において、移動体に取り付けられて着脱自在に移動体の上方に位置される支持部材と、びんホルダよりも小径で、びんホルダの配置に対応して支持部材に支持される複数の筒状部材とを備え、支持部材が移動体に取り付けられた際には、びんホルダ内に位置されるびんが筒状部材により倒立状態に支持されるように構成されているので、びんホルダの交換作業を伴うことなく、簡単な構成によりびんサイズの変更に対応することができる。
【図面の簡単な説明】
【図１】本発明の実施例に係る洗びん機を示す要部断面図である。
【図２】本発明の実施例に係る洗びん機のブリッジに設けた保持部を示す要部拡大図である。
【図３】本発明の他の実施例に係る支持部材を示す要部断面図である。
【符号の説明】
１‥‥洗びん機                    １ａ‥‥側壁
２‥‥チェーン                        ３‥‥ローラ
４‥‥レール                          ５‥‥ブリッジ
５ａ‥‥天板                          ５ｂ‥‥側板
５ｃ‥‥取付孔                          ６‥‥大径のびん
６ａ‥‥胴部                          ６ｂ‥‥肩部
７‥‥びんホルダ                    ７ａ‥‥本体部
７ｂ‥‥下方部                          ８‥‥ブラケット
８ａ‥‥水平部                        ８ｂ‥‥挿入口
９‥‥保持部                        １０‥‥支持部材
１０ａ‥‥天板                        １０ｂ‥‥側板
１０ｃ‥‥取付孔                        １１‥‥小径のびん
１１ａ‥‥胴部                        １１ｂ‥‥肩部
１２‥‥小径ホルダ                  １２ａ‥‥本体部
１２ｂ‥‥下方部                        １３‥‥支持プレート
１４‥‥挿入ピン                    １４ａ‥‥係合孔
１５‥‥挿入筒                      １５ａ‥‥貫通孔
１６‥‥係合部材                    １６ａ‥‥係合ピン
１７‥‥バネ                          １８‥‥給液パイプ
１８ａ‥‥洗浄ノズル                    １９‥‥給液パイプ
１９ａ‥‥洗浄ノズル                    ２０‥‥中間径のびん
２０ａ‥‥胴部                        ２０ｂ‥‥肩部
２１‥‥支持ホルダ                  ２１ａ‥‥本体部
【図１】
0004420575.tif 000002
【図２】
0004420575.tif 000003
【図３】
0004420575.tif 000004